(57)【特許請求の範囲】
【請求項１】
インクジェットヘッドをエンコーダにより回転制御される電動モータを用いてＹ方向に走行させる構造で大型ポスター組み合わせ用の小型ポスター絵図又は捺染版用の原図を印刷するインクジェットプリンタであって、
前記インクジェットヘッドのＹ方向の走行位置をインクジェットヘッドの走行方向と同じＹ方向に張設されたリニアスケールに刻まれた目盛をインクジェットヘッドと一体にＹ方向に走行するリニアスケールセンサにより読み取ることにより検知し、その検知したインクジェットヘッドのＹ方向の走行位置データに基づき、絵図又は文字データに従って、そのインクジェットヘッドのノズルからインク滴を所定のタイミングで噴射させる構造のインクジェットプリンタにおいて、
前記エンコーダにより電動モータを所定角度回転させた際の、そのエンコーダにより回転させる電動モータの回転角度から算出されたインクジェットヘッドがＹ方向に実際に走行した実走行距離Ａと、所定気象条件下に置かれたリニアスケールに刻まれた目盛から前記リニアスケールセンサが読み取ったインクジェットヘッドのＹ方向の計測走行距離Ｂとの比率Ｒを算定する算定手段と、該算定手段により算定された前記比率Ｒに基づき、前記所定気象条件下に置かれたリニアスケールの目盛から前記リニアスケールセンサが読み取るインクジェットヘッドのＹ方向の計測走行距離Ｂを、インクジェットヘッドのＹ方向の実走行距離Ａに合致するように補正する補正手段と、前記所定気象条件下に置かれたリニアスケールに刻まれた目盛からリニアスケールセンサが読み取ったインクジェットヘッドのＹ方向の計測走行距離Ｂを前記補正手段により補正して得られたインクジェットヘッドのＹ方向の走行位置データに基づき、絵図又は文字データに従って、インクジェットヘッドのノズルからインク滴を所定のタイミングで噴射させるインク噴射手段とが備えらえたことを特徴とするインクジェットプリンタ。
【請求項２】
前記補正手段に代えて、絵図又は文字データからインクジェットプリンタを用いてプリントしようとする絵図又は文字を、前記算定手段により算出された計測走行距離Ｂに対しての実走行距離Ａの比率Ｒ分、Ｙ方向に拡大又は縮小させた補正絵図又は文字データを作成する補正デバイスが備えられると共に、前記インク噴射手段に代えて、前記補正デバイスにより作成された補正絵図又は文字データに従って、前記所定気象条件下に置かれたリニアスケールに刻まれた目盛からリニアスケールセンサが読み取ったインクジェットヘッドのＹ方向の走行位置データに基づき、インクジェットヘッドのノズルからインク滴を所定のタイミングで噴射させるインク噴射デバイスが備えられたことを特徴とする請求項１記載のインクジェットプリンタ。
【発明の詳細な説明】
【０００１】
【発明の属する技術分野】
本発明は、インクジェットヘッドのノズルから噴射させたインク滴により、シート等のメディア（媒体）表面に複数のインクのドットの配列からなる絵図又は文字をプリントするインクジェットプリンタに関する。
【０００２】
【従来の技術】
図３と図４に示したような、インクジェットヘッド１０をプラテン２０上に搭載されたシート等のメディア３０上方をメデイア３０とほぼ平行なＹ（横）方向やＸ（前後）方向に相対的に移動させたり、インクジェットヘッド１０の下面に並ぶ複数のノズル１２のそれぞれからインク滴を所定のタイミングでメディア３０方向に噴射させたりして、インクジェットヘッド１０の下面に並ぶ複数の各ノズル１２のそれぞれから噴射させたインク滴をメディア３０表面の所定位置にドット状に着弾させるインクジェットプリンタが周知である。
このインクジェットプリンタによれば、メディア３０表面に複数のインクのドットの配列からなる絵図又は文字をプリントできる。
このうちの、メディア３０をプラテン２０上をＸ方向に移動させて、インクジェットヘッド１０をメディア３０上方をＸ方向に相対的に移動させるインクジェットプリンタは、ペーパームービングタイプのプリンタと呼ばれている。
それに対して、メデイア３０をフラットなプラテン２０上に固定して搭載して、そのメディア３０上方をインクジェットヘッド１０をＸ―Ｙ方向に移動させるインクジェットプリンタは、フラットベッドタイプのプリンタと呼ばれている。
【０００３】
このペーパームービングタイプ及びフラットベッドタイプのインジェットプリンタにおいては、インクジェットヘッド１０を、エンコーダ４０により回転制御される電動モータ５０を用いて、プラテン２０上に搭載されたメデイア３０上方をＹ方向に走行させている。
その構造を詳述すると、図３と図４に示したように、駆動プーリ６２と従動プーリ６４とに亙ってエンドレスベルト６０が巡回可能にループ状に掛け渡されている。駆動プーリ６２には、該駆動プーリを回転させるための電動モータの駆動軸５２が連結されている。電動モータ５０には、該電動モータを回転制御するためのエンコーダ４０が付設されている。そして、そのエンコーダ４０により電動モータ５０を所定角度正逆に回転させて、駆動プーリ６２と従動プーリ６４とに亙って掛け渡されたエンドレスベルト６０を正逆に巡回させている。そして、そのエンドレスベルト６０に支持されたインクジェットヘッド１０を、エンドレスベルト６０の巡回方向に当たるＹ方向に正逆に走行させている。
【０００４】
インクジェットヘッド１０の走行方向と同じＹ方向には、図３に示したように、リニアスケール７０が張設されている。リニアスケール７０は、帯状をした透明なポリエステルフィルム等から形成されていて、そのリニアスケール７０には、例えば７２０ｄｐｉのピッチで線状の目盛７２が多数本横に並べて写真プリントされている。
インクジェットヘッド１０をエンドレスベルト６０に支持するヘッド枠１４には、リニアスケールセンサ８０が一体に付設されている。リニアスケールセンサ８０は、図４に示したように、リニアスケール７０を跨ぐようにして、リニアスケール７０に沿ってＹ方向に移動させている。そして、リニアスケール７０を挟むようにして備えられた発光素子８２と受光素子８４とからなるリニアスケールセンサ８０により、リニアスケールセンサ８０と一体にＹ方向に走行するインクジェットヘッド１０のＹ方向の走行位置を、透明なリニアスケール７０に刻まれた目盛７２から読み取っている。
【０００５】
この図３と図４に示したインクジェットプリンタにおいては、エンコーダ４０により回転制御される電動モータ５０を用いて、エンドレスベルト６０を巡回させることができる。そして、そのエンドレスベルト６０に支持されたインクジェットヘッド１０をＹ方向に走行させることができる。
その際には、インクジェットヘッド１０のＹ方向の走行位置を、そのインクジェットヘッド１０の走行方向と同じＹ方向に張設されたリニアスケール７０に刻まれた目盛７２を、インクジェットヘッド１０と一体にＹ方向に走行するリニアスケールセンサ８０から読み取ることにより、検知できる。そして、その検知したインクジェットヘッド１０のＹ方向の走行位置データに基づき、インクジェットプリンタ駆動用のホストコンピュータ等に入力された絵図又は文字データに従って、そのインクジェットヘッド１０の下面に並ぶ複数の各ノズル１２からインク滴を所定のタイミングで噴射させることができる。そして、そのインク滴により、メディア３０表面に、複数のインクのドットの配列からなる絵図又は文字をプリントできる。
【０００６】
【発明が解決しようとする課題】
しかしながら、上記のリニアスケールセンサ８０によりリニアスケール７０の目盛７２を読み取って、インクジェットヘッド１０のＹ方向の走行位置を検知し、その検知したインクジェットヘッド１０のＹ方向の走行位置データに基づき、絵図又は文字データに従って、インクジェットヘッド１０の下面に並ぶ複数の各ノズル１２からインク滴を所定のタイミングで噴射させた場合には、そのインク滴によりメディア３０表面にプリントされる複数のインクのドットの配列からなる絵図又は文字のＹ方向の長さが、その絵図又は文字データからインクジェットプリンタを用いてプリントしようとする絵図又は文字のＹ方向の長さより長めとなったり短めとなったりしてしまった。
そのために、正確な精度を要求される大型ポスター組み合わせ用の小型ポスター絵図や捺染版用の原図等を、上記のインクジェットプリンタによりプリンすることができなかった。
【０００７】
その理由は、ポリエステルフィルム等からなるリニアスケール７０が、それが置かれた周囲の気象条件によってＹ方向に伸縮するからである。
具体的には、例えばリニアスケール７０がポリエステルフィルムから形成されている場合には、そのリニアスケール７０の温度に対する伸縮率αが０．００１％／℃となり、そのリニアスケール７０の湿度に対する伸縮率αが０．００１％／％ＲＨとなる。
そのために、そのポリエステルフィルムから形成されたリニアスケール７０の周囲の温度が３０℃上昇すると、そのリニアスケール７０の１５０ｍｍ当たりの伸びが４５μｍとなる。また、ポリエステルフィルムから形成されたリニアスケール７０の周囲の湿度が６０％上昇すると、そのリニアスケール７０の１５０ｍｍ当たりの伸びが９０μｍとなる。
その結果、その周囲の温度や湿度の変化に伴って伸縮する所定気象条件下に置かれたリニアスケール７０に刻まれた目盛７２からリニアスケールセンサ８０が読み取るインクジェットヘッド１０のＹ方向の走行位置データに狂いが生じてしまうからである。
【０００８】
本発明は、このような課題を解消するためになされたものであって、リニアスケールがその周囲の温度や湿度の変化に伴ってＹ方向に伸縮しても、それに影響されずに、絵図又は文字データからインクジェットプリンタを用いてプリントしようとする絵図又は文字のＹ方向の位置に合わせて、インクジェットヘッドのノズルから所定のタイミングで噴射させるインク滴を、メディア表面の所望位置にＹ方向のずれなく正確に着弾させることのできるインクジェットプリンタを提供することを目的としている。
【０００９】
【課題を解決するための手段】
上記の目的を達成するために、本発明の第１のインクジェットプリンタは、インクジェットヘッドをエンコーダにより回転制御される電動モータを用いてＹ方向に走行させる構造で大型ポスター組み合わせ用の小型ポスター絵図又は捺染版用の原図を印刷するインクジェットプリンタであって、前記インクジェットヘッドのＹ方向の走行位置をインクジェットヘッドの走行方向と同じＹ方向に張設されたリニアスケールに刻まれた目盛をインクジェットヘッドと一体にＹ方向に走行するリニアスケールセンサにより読み取ることにより検知し、その検知したインクジェットヘッドのＹ方向の走行位置データに基づき、絵図又は文字データに従って、そのインクジェットヘッドのノズルからインク滴を所定のタイミングで噴射させる構造のインクジェットプリンタにおいて、前記エンコーダにより電動モータを所定角度回転させた際の、そのエンコーダにより回転させる電動モータの回転角度から算出されたインクジェットヘッドがＹ方向に実際に走行した実走行距離Ａと、所定気象条件下に置かれたリニアスケールに刻まれた目盛から前記リニアスケールセンサが読み取ったインクジェットヘッドのＹ方向の計測走行距離Ｂとの比率Ｒを算定する算定手段と、該算定手段により算定された前記比率Ｒに基づき、前記所定気象条件下に置かれたリニアスケールの目盛から前記リニアスケールセンサが読み取るインクジェットヘッドのＹ方向の計測走行距離Ｂを、インクジェットヘッドのＹ方向の実走行距離Ａに合致するように補正する補正手段と、前記所定気象条件下に置かれたリニアスケールに刻まれた目盛からリニアスケールセンサが読み取ったインクジェットヘッドのＹ方向の計測走行距離Ｂを前記補正手段により補正して得られたインクジェットヘッドのＹ方向の走行位置データに基づき、絵図又は文字データに従って、インクジェットヘッドのノズルからインク滴を所定のタイミングで噴射させるインク噴射手段とが備えらえたことを特徴としている。
【００１０】
この第１のインクジェットプリンタにおいては、エンコーダにより電動モータを所定角度回転させて、インクジェットヘッドをＹ方向に走行させた際の、そのインクジェットヘッドがＹ方向に実際に走行した実走行距離Ａを、周囲の温度や湿度の変化の影響を受けないエンコーダにより回転させた電動モータの回転角度から常に正確に算出できる。それと共に、その際のインクジェットヘッドのＹ方向の計測走行距離Ｂを、インクジェットヘッドと一体にＹ方向に走行するリニアスケールセンサにより、周囲の温度や湿度の変化に伴って伸縮する所定気象条件下に置かれたリニアスケールに刻まれた目盛から読み取ることができる。そして、その実走行距離Ａと計測走行距離Ｂとの比率Ｒを、算定手段により算定できる。そして、その比率Ｒに基づき、周囲の温度や湿度の変化に伴って伸縮する所定気象条件下に置かれたリニアスケールの目盛からリニアスケールセンサが読み取るインクジェットヘッドのＹ方向の計測走行距離Ｂを、補正手段により、インクジェットヘッドのＹ方向の実走行距離Ａに合致するように補正できる。そして、その周囲の温度や湿度の変化に伴って伸縮する所定気象条件下に置かれたリニアスケールに刻まれた目盛からリニアスケールセンサが読み取ったインクジェットヘッドのＹ方向の計測走行距離Ｂを補正手段により補正して得られたインクジェットヘッドのＹ方向の正確な走行位置データに基づき、絵図又は文字データに従って、インク噴射手段により、インクジェットヘッドのノズルからインク滴を所定のタイミングで噴射させて、そのインク滴を、メディア表面の所望位置にＹ方向のずれなく正確に着弾させることができる。そして、そのメディア表面の所望位置にＹ方向のずれなく正確に着弾させたインク滴により、そのＹ方向の長さが絵図又は文字データからインクジェットプリンタを用いてプリントしようとする絵図又は文字のＹ方向の長さと同じ長さの複数のインクのドットの配列からなる絵図又は文字をメディア表面に精度良くプリントすることが可能となる。
【００１１】
本発明の第２のインクジェットプリンタは、本発明の第１のインクジェットヘッドプリンタにおいて、前記補正手段に代えて、絵図又は文字データからインクジェットプリンタを用いてプリントしようとする絵図又は文字を、前記算定手段により算定された計測走行距離Ｂに対しての実走行距離Ａの比率Ｒ分、Ｙ方向に拡大又は縮小させた補正絵図又は文字データを作成する補正デバイスが備えられると共に、前記インク噴射手段に代えて、前記補正デバイスにより作成された補正絵図又は文字データに従って、前記所定気象条件下に置かれたリニアスケールに刻まれた目盛からリニアスケールセンサが読み取ったインクジェットヘッドのＹ方向の走行位置データに基づき、インクジェットヘッドのノズルからインク滴を所定のタイミングで噴射させるインク噴射デバイスが備えられたことを特徴としている。
【００１２】
この第２のインクジェットプリンタにおいては、補正デバイスを用いて、絵図又は文字データからインクジェットプリンタを用いてプリントしようとする絵図又は文字を、周囲の温度や湿度の変化に伴って伸縮する所定気象条件下に置かれたリニアスケールの目盛からリニアスケールセンサが読み取るインクジェットヘッドのＹ方向の計測走行距離Ｂに対してのインクジェットヘッドのＹ方向の実際の実走行距離Ａの比率Ｒ分、Ｙ方向に拡大又は縮小させた補正絵図又は文字データを作成できる。そして、その補正デバイスにより作成された補正絵図又は文字データに従って、周囲の温度や湿度の変化に伴い伸縮する所定気象条件下に置かれたリニアスケールの目盛からリニアスケールセンサが読み取ったインクジェットヘッドのＹ方向の走行位置データに基づき、インク噴射デバイスにより、インクジェットヘッドのノズルからインク滴を所定のタイミングで噴射させることができる。そして、そのインク滴を、周囲の温度や湿度の変化に伴って伸縮する所定気象条件下に置かれたリニアスケールの伸縮状況に合わせて、補正デバイスにより作成された補正絵図又は文字データに従い、補正前の絵図又は文字データに基づき着弾させようとするメディア表面の所望位置にＹ方向のずれなく正確に着弾させることができる。そして、そのメディア表面の所望位置にＹ方向のずれなく正確に着弾させたインク滴により、そのＹ方向の長さが絵図又は文字データからインクジェットプリンタを用いてプリントしよとうする絵図又は文字のＹ方向の長さと同じ長さの複数のインクのドットの配列からなる絵図又は文字をメディア表面に精度良くプリントすることが可能となる。
【００１３】
【発明の実施の形態】
図１は本発明の第１のインクジェットプリンタの好適な実施の形態を示し、図１はその概略構造を示す正面図である。以下に、この第１のインクジェットプリンタを説明する。
【００１４】
この第１のインクジェットプリンタでは、インクジェットヘッド１０をＹ方向に走行させる電動モータ５０をエンコーダ４０により所定角度回転させた際の、そのエンコーダ４０により回転させる電動モータ５０の回転角度からエンコーダ４０に接続された電子回路（図示せず）等により算出されたインクジェットヘッド１０がＹ方向に実際に走行した実走行距離Ａと、周囲の温度や湿度の変化に伴って伸縮する所定気象条件下に置かれたリニアスケール７０に刻まれた目盛７２からインクジェットヘッド１０と一体に走行するリニアスケールセンサ８０に接続された電子回路（図示せず）等が読み取ったインクジェットヘッド１０のＹ方向の計測走行距離Ｂとの比率Ｒを算定する算定手段１００が備えられている。算定手段１００は、電子回路等から形成されている。
また、算定手段１００により算定された実走行距離Ａと計測走行距離Ｂとの比率Ｒに基づき、周囲の温度や湿度の変化に伴って伸縮する所定気象条件下に置かれたリニアスケールの目盛７２からインクジェットヘッド１０と一体に走行するリニアスケールセンサ８０が読み取るインクジェットヘッド１０のＹ方向の計測走行距離Ｂを、インクジェットヘッド１０のＹ方向の実走行距離Ａに合致するように補正する補正手段１１０が備えられている。補正手段１１０は、電子回路等から形成されている。
さらに、所定気象条件下に置かれたリニアスケール７０に刻まれた目盛７２からインクジェットヘッド１０と一体に走行するリニアスケールセンサ８０が読み取ったインクジェットヘッド１０のＹ方向の計測走行距離Ｂを補正手段１１０により補正して得られたインクジェットヘッド１０のＹ方向の走行位置データに基づき、絵図又は文字データに従って、インクジェットヘッド１０の下面に並ぶ複数の各ノズル１２からインク滴を所定のタイミングで噴射させるインク噴射手段１２０が備えられている。インク噴射手段１２０は、電子回路等から形成されている。
【００１５】
その他は、図３と図４に示した前述のインクジェットプリンタと同様に構成されている。
この第１のインクジェットプリンタにおいては、エンコーダ４０により電動モータ５０を所定角度回転させて、インクジェットヘッド１０をＹ方向に走行させた際の、そのインクジェットヘッド１０がＹ方向に実際に走行した実走行距離Ａを、周囲の温度や湿度の変化の影響を受けないエンコーダ４０により回転させた電動モータ５０の回転角度からエンコーダ４０に接続された電子回路等により常に正確に算出できる。それと共に、その際のインクジェットヘッド１０のＹ方向の計測走行距離Ｂを、インクジェットヘッド１０と一体に走行するリニアスケールセンサ８０に接続された電子回路等により、周囲の温度や湿度の変化に伴って伸縮する所定気象条件下に置かれたリニアスケール７０に刻まれた目盛７２から読み取ることができる。そして、算定手段１００により、その実走行距離Ａと計測走行距離Ｂとの比率Ｒを算定できる。そして、その比率Ｒに基づき、周囲の温度や湿度の変化に伴って伸縮する所定気象条件下に置かれたリニアスケールの目盛７２からリニアスケールセンサ８０が読み取るインクジェットヘッド１０のＹ方向の計測走行距離Ｂを、補正手段１１０により、インクジェットヘッド１０のＹ方向の実走行距離Ａに合致するように補正できる。そして、そのインクジェットヘッド１０のＹ方向の計測走行距離Ｂを補正手段１１０により補正して得られたインクジェットヘッド１０のＹ方向の正確な走行位置データに基づき、絵図又は文字データに従って、インク噴射手段１２０により、インクジェットヘッド１０の下面に並ぶ複数の各ノズル１２から所定のタイミングで噴射させるインク滴を、メディア３０表面の所望位置にＹ方向のずれなく正確に着弾させることができる。そして、そのＹ方向の長さが絵図又は文字データからインクジェットプリンタを用いてプリントしようとする絵図又は文字のＹ方向の長さと同じ長さのＹ方向にずれや歪みのない複数のインクのドットの配列からなる絵図又は文字をメディア３０表面に精度良くプリントすることが可能となる。
【００１６】
図２は本発明の第２のインクジェットプリンタの好適な実施の形態を示し、図２はその概略構造を示す正面図である。以下に、この第２のインクジェットプリンタを説明する。
【００１７】
この第２のインクジェットプリンタは、補正手段１１０に代えて、絵図又は文字データからインクジェットプリンタを用いてプリントしようとする絵図又は文字を、算定手段１００により算定された計測走行距離Ｂに対してのインクジェットヘッド１０のＹ方向の実際の実走行距離Ａの比率Ｒ（＝Ａ／Ｂ）分、Ｙ方向に拡大又は縮小させた補正絵図又は文字データを作成する補正デバイス１１２が備えられている。補正デバイス１１２には、インクジェットプリンタ駆動用のホストコンピュータ等に組み込まれた絵図又は文字データの作成プログラムソフトであって、その絵図又は文字データからインクジェットプリンタを用いてプリントしようとする絵図又は文字のＹ方向の長さを適宜量拡大又は縮小した補正絵図又は文字データを作成可能なプログラムソフトと電子回路等から形成されている。
それと共に、インク噴射手段１２０に代えて、補正デバイス１１２により作成された補正絵図又は文字データに従って、所定気象条件下に置かれたリニアスケール７０に刻まれた目盛７２からリニアスケールセンサ８０が読み取ったインクジェットヘッド１０のＹ方向の走行位置データに基づき、インクジェットヘッド１０の下面に並ぶ複数の各ノズル１２からインク滴を所定のタイミングで噴射させるインク噴射デバイス１２２が備えられている。インク噴射デバイス１２２は、電子回路等から形成されている。
【００１８】
その他は、図１に示した前述の第１のインクジェットプリンタと同様に構成されている。
この第２のインクジェットプリンタにおいては、補正デバイス１１２を用いて、絵図又は文字データからインクジェットプリンタを用いてプリントしようとする絵図又は文字を、周囲の温度や湿度の変化に伴って伸縮する所定気象条件下に置かれたリニアスケールの目盛７２からリニアスケールセンサ８０が読み取るインクジェットヘッド１０のＹ方向の計測走行距離Ｂに対してのインクジェットヘッド１０のＹ方向の実際の実走行距離Ａの比率Ｒ分、Ｙ方向に拡大又は縮小させた補正絵図又は文字データを作成できる。そして、その補正デバイス１１２により作成された補正絵図又は文字データに従って、周囲の温度や湿度の変化に伴って伸縮する所定気象条件下に置かれたリニアスケールの目盛７２からリニアスケールセンサ８０が読み取ったインクジェットヘッド１０のＹ方向の走行位置データに基づき、インク噴射デバイス１２２により、インクジェットヘッド１０の下面に並ぶ複数の各ノズル１２からインク滴を所定のタイミングで噴射させることができる。そして、そのインク滴を、周囲の温度や湿度の変化に伴って伸縮する所定気象条件下に置かれたリニアスケール７０の伸縮状況に合わせて、補正デバイス１１２により作成された補正絵図又は文字データに従い、補正前の絵図又は文字データに基づき着弾させようとするメディア３０表面の所望位置にＹ方向のずれなく正確に着弾させることができる。そして、そのメディア３０表面の所望位置にＹ方向のずれなく正確に着弾させたインク滴により、そのＹ方向の長さが絵図又は文字データからインクジェットプリンタを用いてプリントしようとうする絵図又は文字のＹ方向の長さと同じ長さの複数のインクのドットの配列からなる絵図又は文字をメディア３０表面に精度良くプリントすることが可能となる。
【００１９】
【発明の効果】
以上説明したように、本発明の第１又は第２のインクジェットプリンタによれば、ポリエステルフィルム等から形成されたリニアスケールが、その周囲の温度や湿度の変化に伴って伸縮しても、それに影響されずに、インクジェットヘッドの下面に並ぶ複数の各ノズルから所定のタイミングで噴射させるインク滴を、絵図又は文字データからインクジェットプリンタを用いてプリントしょうとする絵図又は文字の位置に合わせて、メディア表面の所望位置にＹ方向のずれなく正確に着弾させることができる。そして、そのインク滴により、Ｙ方向の長さが絵図又は文字データからインクジェットプリンタを用いてプリントしようとする絵図又は文字のＹ方向の長さと同じ長さの複数のインクのドットの配列からなる絵図又は文字をメディア表面に精度良くプリントできる。
その結果、本発明の第１又は第２のインクジェットプリンタを用いれば、正確な精度を要求される大型ポスター組み合わせ用の小型ポスター絵図や捺染版用の原図等をプリントすることが可能となる。
【図面の簡単な説明】
【図１】本発明の第１のインクジェットプリンタの概略構造を示す正面図である。
【図２】本発明の第２のインクジェットプリンタの概略構造を示す正面図である。
【図３】従来のインクジェットプリンタの概略構造を示す正面図である。
【図４】従来のインクジェットプリンタの概略構造を示す平面図である。
【符号の説明】
１０  インクジェットヘッド
１２  ノズル
２０  プラテン
３０  メディア
４０  エンコーダ
５０  電動モータ
６０  エンドレスベルト
６２  駆動プーリ
６４  従動プーリ
７０  リニアスケール
７２  リニアスケールに刻まれた目盛
８０  リニアスケールセンサ
１００  算定手段
１１０  補正手段
１１２  補正デバイス
１２０  インク噴射手段
１２２  インク噴射デバイス
【図１】
0004587424.tif 000002
【図２】
0004587424.tif 000003
【図３】
0004587424.tif 000004
【図４】
0004587424.tif 000005